(57)【要約】【課題】  表示手段の待機動作中に、タッチパネルの表示画面に触れるなど、キー入力が発生した場合にも、予期せぬ動作が実行されてしまうことのない情報処理装置を実現する。【解決手段】  各種情報を表示する表示手段と、キーボードなどからのキー入力を受け付けるキー入力手段と、このキー入力手段を監視して一定時間キー入力がなかった場合には前記表示手段を待機動作に移行させる表示制御手段とを具備する情報処理装置において、前記表示手段が待機動作中の時には前記キー入力に対応したキー入力処理を無効とするとともに、前記表示手段の待機動作中にキー入力が発生した場合には前記表示手段に対して待機動作からの復帰のみを行うことを特徴とする。【選択図】    図１
2005135306.tif 000002
【特許請求の範囲】
【請求項１】
各種情報を表示する表示手段と、キーボードなどからのキー入力を受け付けるキー入力手段と、このキー入力手段を監視して一定時間キー入力がなかった場合には前記表示手段を待機動作に移行させる表示制御手段とを具備し、前記表示手段が待機動作中の時には前記キー入力に対応したキー入力処理を無効とするとともに、前記表示手段の待機動作中にキー入力が発生した場合には前記表示手段に対して待機動作からの復帰のみを行うことを特徴とする情報処理装置。
【請求項２】
前記待機動作は、スクリーンセーバーの起動および表示部電源の遮断であることを特徴とする請求項１に記載の情報処理装置。
【請求項３】
前記キー入力にはマウスなどのポインティングデバイスによるクリック操作を含むことを特徴とする請求項１または２に記載の情報処理装置。
【請求項４】
前記表示手段はタッチパネルであり、キー入力にはこのタッチパネルにおけるタッチ入力を含むことを特徴とする請求項１乃至３のいずれかに記載の情報処理装置。
【請求項５】
前記キー入力に対応したキー入力処理を無効とする操作は、フラグのオンオフにより行うことを特徴とする請求項１乃至４のいずれかに記載の情報処理装置。
【発明の詳細な説明】
【技術分野】
【０００１】
本発明は、ＣＲＴや液晶ディスプレイ、タッチパネルなどの表示手段を有し、消費電力の節減や表示手段の寿命伸長のために、一定時間キー入力がなかった場合には、表示手段の電源を遮断するなどの待機動作を行う情報処理装置に関するものである。
【背景技術】
【０００２】
一般に、この種の待機動作としては、スクリーンセーバーを起動したり、表示手段の電源を遮断するなどの方法が採られている。キーボードやマウスなどのキー入力手段を監視し、一定時間キー入力がなかった場合には、待機動作に移行する。スクリーンセーバーの起動と表示手段の電源遮断とは、起動までの時間が個別に設定されている。また、この待機動作中において、キー入力手段からキー操作やマウス信号の変化が検出されると、待機動作が解除され、表示手段は通常の表示状態に復帰する。タッチパネルの場合には、表示画面に触れることにより、キー入力が検出され、待機動作からの復帰が行われる。
【０００３】
【特許文献１】特開２００１−０９２５７０号公報
【０００４】
図４は、一般的な情報処理装置の表示手段における表示状態を示す説明図である。図において、３０は表示手段における表示画面、４０は表示画面３０中に設定されたファンクションキー領域（ソフトウエアキー領域）、５０はマウスなどのポインティングデバイスにより操作されるカーソルである。Ｆ１〜Ｆ４はファンクションキー領域４０中に設けられたファンクションキーである。ファンクションキーＦ１〜Ｆ４には任意の機能が割り付けられており、表示画面３０上で任意のファンクションキーＦ１〜Ｆ４を選択することにより、割り付けられた機能を実行させることができる。図に示す例では、カーソル５０をファンクションキーＦ２の位置に移動させることにより、ファンクションキーＦ２が選択されており、この状態でマウスボタンなどをクリックすれば、ファンクションキーＦ２に割り付けられた機能を実行させることができる。
【０００５】
なお、表示画面３０上におけるファンクションキー領域４０の表示位置や、設定されるファンクションキーＦ１〜Ｆ４の内容および数などは、表示する情報に応じて変化するものである。
【０００６】
ファンクションキーＦ１〜Ｆ４に対する選択状態の移動は、キーボード上のタブキー（ＴＡＢ）の操作によって行うこともでき、タブキーの操作によりファンクションキーＦ１〜Ｆ４を選択した後、エンターキー（ＥＮＴＥＲ）を押せば、任意のファンクションキーＦ１〜Ｆ４を実行することができる。また、表示手段がタッチパネルであった場合には、表示画面３０上において、ファンクションキーＦ１〜Ｆ４の表示された位置に触れることにより、触れた位置のファンクションキーＦ１〜Ｆ４を実行することができる。
【発明の開示】
【発明が解決しようとする課題】
【０００７】
しかしながら、表示手段の待機動作中では、表示画面３０にスクリーンセーバーが表示されていたり、表示手段の電源が遮断されている状態のため、表示画面３０中にどのようなファンクションキー領域４０が設定されているのかを知ることができない。このため、タッチパネルにおいては、待機動作中の表示画面３０に触れた場合、触れた位置にファンクションキーが設定されていると、表示画面３０が待機動作から復帰するとともに、触れた位置のファンクションキーが実行されてしまい、予期せぬ動作が実行されてしまうことがある。
【０００８】
タッチパネルに限らず、タブキーによりファンクションキーＦ１〜Ｆ４が選択されたままの状態で待機動作に移行していた場合には、不用意にエンターキーを押すと、その時に選択されていたファンクションキーが実行されてしまう。
【０００９】
本発明は、上記のような従来装置の欠点をなくし、表示手段の待機動作中に、タッチパネルの表示画面に触れるなど、キー入力が発生した場合にも、予期せぬ動作が実行されてしまうことのない情報処理装置を実現することを目的としたものである。
【課題を解決するための手段】
【００１０】
このような目的を達成するために、本発明の請求項１では、各種情報を表示する表示手段と、キーボードなどからのキー入力を受け付けるキー入力手段と、このキー入力手段を監視して一定時間キー入力がなかった場合には前記表示手段を待機動作に移行させる表示制御手段とを具備する情報処理装置において、前記表示手段が待機動作中の時には前記キー入力に対応したキー入力処理を無効とするとともに、前記表示手段の待機動作中にキー入力が発生した場合には前記表示手段に対して待機動作からの復帰のみを行うことを特徴とする。
【００１１】
請求項２では、請求項１に記載の情報処理装置において、前記待機動作は、スクリーンセーバーの起動および表示部電源の遮断であることを特徴とする。
【００１２】
請求項３では、請求項１または２に記載の情報処理装置において、前記キー入力にはマウスなどのポインティングデバイスによるクリック操作を含むことを特徴とする。
【００１３】
請求項４では、請求項１乃至３のいずれかに記載の情報処理装置において、前記表示手段はタッチパネルであり、キー入力にはこのタッチパネルにおけるタッチ入力を含むことを特徴とする。
【００１４】
請求項５では、請求項１乃至４のいずれかに記載の情報処理装置において、前記キー入力に対応したキー入力処理を無効とする操作は、フラグのオンオフにより行うことを特徴とする。
【発明の効果】
【００１５】
このように、表示手段が待機動作中の時には、キー入力に対応したキー入力処理を無効とするとともに、表示手段の待機動作中にキー入力が発生した場合には、表示手段に対して待機動作からの復帰のみを行うように構成すると、表示手段の待機動作中に、タッチパネルの表示画面に触れるなど、キー入力が発生した場合にも、表示手段が待機動作から復帰するだけで、予期せぬ動作が実行されてしまうことがない。
【発明を実施するための最良の形態】
【００１６】
以下、図面を使用して、本発明の情報処理装置を説明する。
【実施例１】
【００１７】
図１は、本発明の情報処理装置の一実施例を示す構成図である。図において、１はＣＲＴや液晶ディスプレイ、タッチパネルなどの表示手段、２は表示手段１における表示動作を制御したり、電源のオンオフを制御する表示制御手段、３はキーボード、４はキーボード３からのキー入力を受けるキーボード制御手段、５はマウス、６はマウス５からの操作信号を受けるマウス制御手段、７は装置全体の動作を制御したり、装置固有の機能を実現する機能演算手段である。キーボード３、キーボード制御手段４，マウス５、マウス制御手段６は、オペレータによるキー入力を受けるキー入力手段８を構成している。
【００１８】
表示制御手段２は、各種情報を表示手段１に表示させるとともに、キーボード３やマウス５などのキー入力手段９を監視し、一定時間キー入力がなかった場合には、待機動作に移行する。例えば、一定時間キー入力がなかった場合には、まずスクリーンセーバーを起動し、更にキー入力がない状態が続いた場合には、表示手段１の電源を遮断する。
【００１９】
ここで、キー入力手段８によりキー入力が発生された場合の動作を説明する。図２はキー入力が発生された場合の動作を示すフローチャートである。図に示すように、キー入力が発生されると（１０）、表示手段１の状態が判断され（１１）、通常の表示状態であった場合には（ＮＯ）、押されたキーに応じたキー入力処理が行われる（１３）。また、表示手段１が待機動作中であった場合には（ＹＥＳ）、スクリーンセーバーを停止させたり、表示手段１の電源を投入したりして、表示手段１を通常の表示状態に復帰させる（１２）。この時、キー入力の情報はキー入力処理には伝えられず、キー入力に応じた処理は行われない。
【００２０】
このように、表示手段１の待機動作中にキー入力（１０）が発生された場合には、表示手段１における待機動作からの復帰（１２）のみが行われ、キー入力に応じたキー入力処理（１３）は行われない（無効とする）ので、表示手段１の待機動作中にキー入力が発生した場合にも、表示手段１が待機動作から復帰するだけで、予期せぬ動作が実行されてしまうことがない。
【００２１】
表示手段１がタッチパネルであり、待機動作中にタッチパネルの表示画面に触れた場合、触れた位置にファンクションキーが設定されていたとしても、そのファンクションキーに割り付けられた動作が実行されてしまうことがない。
【実施例２】
【００２２】
図３はキー入力が発生された場合における他の動作例を示すフローチャートである。図において、前記図２と同様のものは同一符号を付して示す。図に示す例は、キー入力処理（１３）の実行制御にフラグを利用したものである。図に示すように、キー入力が発生されると（１０）、表示手段１の状態が判断され（１１）、通常の表示状態であった場合には（ＮＯ）、キー有効フラグをＯＮとする（１５）。また、表示手段１が待機動作中であった場合には（ＹＥＳ）、スクリーンセーバーを停止させたり、表示手段１の電源を投入したりして、表示手段１を通常の表示状態に復帰させ（１２）、後に、キー有効フラグをＯＦＦとする（１４）。
【００２３】
このようにして、キー有効フラグがセットされた後は、キー有効フラグの状態が判断され（１６）、キー有効フラグがＯＮの時（ＹＥＳ）のみ、押されたキーに応じたキー入力処理が行われる（１３）。キー有効フラグがＯＦＦの時（ＮＯ）には、キー入力の情報はキー入力処理には伝えられず、キー入力に応じた処理は行われない。
【００２４】
なお、前記図２および図３に示す如き動作は、ソフトウエア的に実現されているもので、表示制御手段２、機能演算手段７およびキー入力手段８などの機能として限定されるものではない。
【図面の簡単な説明】
【００２５】
【図１】本発明の情報処理装置の一実施例を示す構成図。
【図２】キー入力が発生された場合の動作を示すフローチャート。
【図３】キー入力が発生された場合における他の動作例を示すフローチャート。
【図４】一般的な情報処理装置の表示手段における表示状態を示す説明図。
【符号の説明】
【００２６】
１      表示手段
２      表示制御手段
３      キーボード
４      キーボード制御手段
５      マウス
６      マウス制御手段
７      機能演算手段
８      キー入力手段
３０    表示画面
４０    ファンクションキー領域
５０    カーソル
【図１】
2005135306.tif 000003
【図２】
2005135306.tif 000004
【図３】
2005135306.tif 000005
【図４】
2005135306.tif 000006